(57)【要約】【課題】小型かつ構造簡素にしてバッグ、カバン等による携行を容易にした書籍のページ保持具を得る。【解決手段】書籍（１０）の上縁部（１０ａ）を支持する棒状の枕部材（２）を設け、該枕部材（２）の長手方向複数箇所に倒立Ｌ形の係止部材（５）を設けるとともに、該係止部材（５）は、上下方向に延びる起立辺（５ａ）の下端部を前記枕部材（２）の長手方向と直交する軸心を中心として該枕部材（２）に回動可能に連結し、上部の押圧辺（５ｂ）を前記枕部材（２）の上面から上方に離間させて該枕部材（２）の上面に対面させる。【選択図】図３
2009160875.tif 000002
【特許請求の範囲】
【請求項１】
書籍（１０）の上縁部（１０ａ）を支持する棒状の枕部材（２）を設け、該枕部材（２）の長手方向複数箇所に倒立Ｌ形の係止部材（５）を設けるとともに、該係止部材（５）は、上下方向に延びる起立辺（５ａ）の下端部が前記枕部材（２）の長手方向と直交する軸心を中心として該枕部材（２）に回動可能に連結され、上部の押圧辺（５ｂ）が前記枕部材（２）の上面から上方に離間して該枕部材（２）の上面に対面してなることを特徴とする書籍のページ保持具。
【請求項２】
係止部材（５）の押圧辺（５ｂ）の長さ（Ｓ１）を書籍（１０）の上縁側余白部に略対応させたことを特徴とする請求項１記載の書籍のページ保持具。
【請求項３】
係止部材（５）の押圧辺（５ｂ）の先端部（５ｃ）を上方に湾曲させたことを特徴とする請求項１又は２記載の書籍のページ保持具。
【請求項４】
枕部材（２）の上面に書籍（１０）と摩擦係合する摩擦シート（４）、又は凹凸部（２−１ａ）を設けたことを特徴とする請求項１，２又は３記載の書籍のページ保持具。
【発明の詳細な説明】
【技術分野】
【０００１】
本発明は、単行本、問題集、参考書等の書籍を机あるいはテーブル等に置いて開いた際に、開いたページが閉じないようにする書籍のページ保持具に関するするものである。
【背景技術】
【０００２】
従来の技術として、特許文献１があった。即ち、正面視へ字状に屈曲させた細長い２枚の載置部材を直列に配列して両者を結合具により結合し、各載置部材の外端部にページ押止片を内外（接離）方向に移動可能に取り付ける。そして、前記載置部材に書籍を開いて載置し、該書籍の左右のページを前記ページ押止片により押圧して該当するページを拡開保持する
【０００３】
前記特許文献１は、各載置部材の外端部に取り付けたページ押止片で書籍の左右端部のページを押し止めして拡開保持するようにしていたので、書籍の左右の幅が異なると、ページ押止片を載置部材上で左右方向に移動させる必要があった。このため、構造が複雑になるとともに、左右幅が大きく異なる書籍にも対応させようとすると、載置部材の長さを長くする必要があり、小型化ができないものであった。
【特許文献１】特開２００２−１４４７６５号公報
【発明の開示】
【発明が解決しようとする課題】
【０００４】
本発明は、小型かつ構造簡素にしてバッグ、カバン等による携行を容易にした書籍のページ保持具を得ることを目的とする。
【課題を解決するための手段】
【０００５】
請求項１に係る発明は、書籍の上縁部を支持する棒状の枕部材を設け、該枕部材の長手方向複数箇所に倒立Ｌ形の係止部材を設けるとともに、該係止部材は、上下方向に延びる起立辺の下端部が前記枕部材の長手方向と直交する軸心を中心として該枕部材に回動可能に連結され、上部の押圧辺が前記枕部材の上面から上方に離間して該枕部材の上面に対面してなる構成にしたものである。
請求項２に係る発明は、前記係止部材の押圧辺の長さを書籍の上縁側余白部に略対応させたものである。
請求項３に係る発明は、前記係止部材の押圧辺の先端部を上方に湾曲させたものである。
請求項４に係る発明は、前記枕部材の上面に書籍と摩擦係合する摩擦シート、又は凹凸部を設けたものである。
【発明の効果】
【０００６】
請求項１に係る発明は、書籍を開いて枕部材に載置し、該開いた書籍の上縁部を係止部材の押圧辺に嵌合させると、該押圧辺が開いた書籍の左右のページを押圧して該当するページを拡開保持することになる。このため、書籍の左右幅に左右されることなく、該書籍を拡開保持することができる。また、各係止部材を枕部材の長手方向と直交する軸心を中心として回動可能にしたので、ページめくりによって開いた書籍の左右の厚さが変化した際には、厚さが小さくなった側の係止部材を水平方向に回動させ、厚さが大きくなった側の係止部材を垂直方向に回動させることによって、各押圧辺が該当するページを適正な力で押圧し、書籍の拡開を安定して保持するとともに、ページめくりが円滑に行なえることになる。
【０００７】
請求項２に係る発明は、前記係止部材の押圧辺の長さを書籍の上縁側余白部に略対応させたので、該押圧辺は書籍に記載された文字を覆うことなく該書籍を拡開保持することになる。
請求項３に係る発明は、前記係止部材の押圧辺の先端部を上方に湾曲させたので、該当するページの押圧辺からの引き抜き、及び該押圧辺への差込みが円滑に行なえることになる。
請求項４に係る発明は、書籍と枕部材との摩擦係合力が増大し、拡開保持された書籍が机上等で移動された際に、枕部材が書籍とともに移動し、書籍の該当するページが係止部材の押圧辺から不用意に離脱することがなくなる。
【発明を実施するための最良の形態】
【０００８】
以下本発明の実施の形態を図面に基いて説明する。図面において、図１は本発明の実施例を示す正面図、図２は図１のII-II断面図、図３は本発明の使用状態を示す背面図、図４は図３のIV-IV断面図、図５は他の実施例を示す図４相当の拡大断面図である。
【０００９】
図１〜図２において、１は書籍のページ保持具であり、細長い枕部材２に一対の係止部材５，５を取り付けてなる。前記枕部材２は、高さＨ１が約２５ｍｍ、厚さＴ１が約２４ｍｍ、長さＬ１が約１５０ｍｍとなる木材製の角棒状とし、該枕部材２の上面に摩擦シート４を貼り付ける。
【００１０】
前記摩擦シート４は、厚さ約１．５ｍｍのゴムあるいは合成樹脂製シートの表面に多数の凹凸を形成し、該凹凸により書籍１０（図３、図４）との摩擦係合を高くしてなり、これを前記枕部材２の上面全面に固着する。
【００１１】
前記係止部材５は、幅Ｗ１が約８ｍｍ、厚さが約１ｍｍとなる帯状の板金材を倒立Ｌ形に折り曲げ、上下方向に延びる起立辺５ａ、及び起立辺５ａの上部側で前方（図２において左方）に延びる押圧辺５ｂを形成し、また、押圧辺５ｂの先端部５ｃは、図２に示すように上方に湾曲させる。
【００１２】
前記係止部材５を２個形成し、各係止部材５を枕部材２の背面（図２において右面）にてその左右端部に配置するとともに、各押圧辺５ｂを前方（図２において左方）に向ける。そして、各押圧辺５ｂを前記枕部材２の上面から約２１ｍｍ上方に離間（Ｃ１）させ、この状態で各起立辺５ｂの下端部を小ねじからなる支点ピン６により枕部材２に所定の摩擦力を保持して回動可能に連結する。
【００１３】
この場合、前記支点ピン６は、枕部材２の左右端部からの距離Ｌ２を、押圧辺５ｂの回動半径Ｒ１と略一致させ、これにより、図１の仮想線で示すように、左右の係止部材５を枕部材２の両端方向に倒した際に、各係止部材５の押圧辺２ｂが枕部材２の左右両端面２ａ，２ｂに対面して格納されるようにする。なお、枕部材２の両端面の上部は押圧辺５ｂの回動半径Ｒ１に対応する円弧面とし、前記押圧辺２ｂの格納が円滑に行なわれるようにする。
【００１４】
前記押圧辺５ｂの長さＳ１は、枕部材２に載置された書籍１０の上縁部１０ａの余白部を押圧する、約２１ｍｍの長さとする。図３〜図５において、１１は書籍ページ保持具１が載置されるテーブル（又は机）である。なお、前記係止部材５は針金材を屈曲させて形成するようにしてもよい。
【００１５】
前記実施例によれば、書籍ページ保持具１をテーブル（又は机）１１上に置き、係止部材２を起立方向に回動させる。次いで、書籍１０を開いて枕部材２に載置し、該開いた書籍１０の上縁部１０ａを係止部材５の押圧辺５ｂに嵌合させる。さすれば、押圧辺５ｂが開いた書籍１０の左右のページを押圧して該当するページを拡開保持することになる。この場合、前記押圧辺５ｂは書籍の上縁側余白部を押圧することになるので、書籍に記載された文字が隠れなくなる。
【００１６】
また、係止部材５は、書籍１０の上縁部１０ａを押さえるので、書籍１０の左右幅に左右されることなく、該書籍１０の拡開を保持することになる。また、ページをめくる際には、めくるページ、例えば左側のページを、その綴り辺１０ｂ側上部を中心して下縁方向に引くと、該ページが対応する左側の押圧辺５ｂ−１から離脱する。そして、該離脱したページを右側のページ側に回動させ（めくり）、その上縁部を右側の押圧辺５ｂ−２に下縁側から差し込む。さすれば、該ページが右側の押圧辺５ｂ−２に押圧保持される。この場合、前記押圧辺５ｂ（５ｂ−１，５ｂ−２）の先端部５ｃを上方に湾曲させたので、該当するページの押圧辺５ｂからの引き抜き、該押圧辺５ｂへの差込みが円滑に行なえることになる
【００１７】
前記動作の繰り返しにより、開いた書籍は左側が次第に薄く、右側が次第に厚くなる。この場合、図３の背面図で示すように、左側の係止部材５−１を水平方向に回動させ、右側の係止部材５−２を垂直方向に回動させると、左右の押圧辺５ｂ−１，５ｂ−２が該当するページを適正な力で押圧し、書籍１０の拡開を安定して保持するとともに、ページめくりが円滑に行なえることになる。
【００１８】
また、枕部材２の上面に摩擦シート４を固着したので、書籍１０と枕部材２との摩擦係合力が増大し、拡開保持された書籍１０が机上等で移動された際に、枕部材２が書籍１０とともに移動し、書籍１０の該当するページが係止部材５の押圧辺５ｂから不用意に離脱することがなくなる。
【００１９】
図５は他の実施例を示す。即ち、金属板あるいは硬質プラスチック製の板材を逆Ｕ字状に湾曲させて逆Ｕ字溝形の枕部材２−１を形成するとともに、該枕部材２−１の頂部に波形の凹凸部２−１ａを形成し、該凹凸部２−１ａにより書籍１０との摩擦力を高めるようにする。また、前記枕部材２−１の背面壁２−１ｂに前述と同様の係止部材５を配置し、その起立辺５ａの下端部をボルト・ナットからなる支点ピン６−１によって前記背面壁２−１ｂに所定の摩擦力を保持して回動可能に連結したものである。その他は前述した実施例と略同様となっている。
【００２０】
前述した枕部材２及び係止部材５の材質は、硬質プラスチック材により形成してもよい。また、枕部材２（２−１）及び係止部材５の各部の寸法は、書籍の厚さ、大きさ等によって適宜設定する。
【図面の簡単な説明】
【００２１】
【図１】本発明の実施例を示す正面図である。
【図２】図１のII-II断面図である。
【図３】本発明の使用状態を示す背面図である。
【図４】図３のIV-IV断面図である。
【図５】他の実施例を示す図４相当の拡大断面図である。
【符号の説明】
【００２２】
１    書籍のページ保持具
２（２−１）    枕部材
２−１ａ  凹凸部
２−１ｂ  背面壁
４    摩擦シート
５    係止部材
５ａ  起立辺
５ｂ  押圧辺
５ｃ  先端部
６    支点ピン（小ねじ）
６−１  支点ピン（ボルト・ナット）
１０    書籍
１０ａ  上縁部
１０ｂ  綴り辺
【図１】
2009160875.tif 000003
【図２】
2009160875.tif 000004
【図３】
2009160875.tif 000005
【図４】
2009160875.tif 000006
【図５】
2009160875.tif 000007